(57)【要約】【課題】鍵情報の再登録中に建物内に入ることができないという状況を防ぐ。【解決手段】情報処理装置（２）は、コントローラ（１）に記憶されている鍵情報をすべて削除し、必要な鍵情報のみを再登録するための再登録処理の実行をコントローラ（１）に指示するとともに、再登録処理中は、電気錠（３Ａ）を常に解錠しておくようコントローラ（１）に指示する再登録命令部（２０１）を備える。【選択図】図１
2019085737.tif 000002
【特許請求の範囲】
【請求項１】
記憶している鍵情報が、第１のドアに設けられた第１の電気錠に入力されたとき、該第１の電気錠を解錠する電気錠制御装置と通信可能に接続された情報処理装置であって、
上記第１のドアは、建物の出入口に設けられ、少なくとも上記第１の電気錠が解錠されたときに開くものであり、
上記電気錠制御装置に記憶されている上記鍵情報をすべて削除し、必要な鍵情報のみを再登録するための再登録処理の実行を上記電気錠制御装置に指示する再登録指示部と、
上記再登録指示部が上記再登録処理の実行を指示するとき、上記再登録処理中は上記第１の電気錠を常に解錠しておくよう、上記電気錠制御装置に指示する電気錠制御指示部と、を備えることを特徴とする情報処理装置。
【請求項２】
上記建物は、上記建物の利用者が共用する部屋であって、上記電気錠制御装置が記憶している上記鍵情報が入力されたとき解錠される第２の電気錠が設けられた第２のドアを有する１以上の部屋を有し、
上記電気錠制御指示部は、上記再登録指示部が上記再登録処理の実行を指示するとき、上記再登録処理中は上記第２の電気錠を常に施錠しておくよう、上記電気錠制御装置にさらに指示することを特徴とする請求項１に記載の情報処理装置。
【請求項３】
上記電気錠制御装置に記憶されている上記鍵情報に関する所定の条件が満たされた場合、上記再登録処理の実行を上記情報処理装置のユーザへ促す通知を行う通知部を備えることを特徴とする請求項１または２に記載の情報処理装置。
【請求項４】
上記再登録処理の実行に適した、少なくとも１つの時間帯を特定する特定部をさらに備え、
上記通知部は、上記再登録処理の実行を促す上記通知とともに、上記特定部が特定した上記時間帯の通知を、上記情報処理装置のユーザに対して行うことを特徴とする請求項３に記載の情報処理装置。
【請求項５】
上記再登録指示部は、上記電気錠制御装置に記憶されている上記鍵情報に関する所定の条件が満たされた場合、上記再登録処理の実行を上記電気錠制御装置に指示することを特徴とする請求項１または２に記載の情報処理装置。
【請求項６】
上記再登録処理の実行に適した時間帯を特定する特定部をさらに備え、
上記再登録指示部は、上記特定部が特定した時間帯に、上記再登録処理の実行を上記電気錠制御装置に指示することを特徴とする請求項５に記載の情報処理装置。
【請求項７】
上記特定部は、所定の期間における上記第１のドアの開閉の履歴情報に基づいて、上記第１のドアが開閉した回数が少ない時間帯を、上記再登録処理の実行に適した時間帯として特定することを特徴とする請求項４または６に記載の情報処理装置。
【請求項８】
上記建物は、上記建物の利用者が共用する部屋であって、上記電気錠制御装置が記憶している上記鍵情報が入力されたとき解錠される第２の電気錠が設けられた第２のドアを有する１以上の部屋を有し、
上記情報処理装置において、
上記電気錠制御指示部は、上記再登録指示部が上記再登録処理の実行を指示するとき、上記再登録処理中は上記第２の電気錠を常に施錠しておくよう、上記電気錠制御装置にさらに指示し、
上記特定部は、上記部屋が上記利用者によって使用される時間帯を含まない時間帯を、上記再登録処理の実行に適した時間帯として特定することを特徴とする請求項４または６に記載の情報処理装置。
【請求項９】
上記特定部は、上記建物の管理人が、該建物に駐在している時間帯を含む時間帯を、上記再登録処理の実行に適した時間帯として特定することを特徴とする請求項４または６に記載の情報処理装置。
【請求項１０】
上記所定の条件は、上記電気錠制御装置に記憶されている上記鍵情報の数が、所定の閾値を超えたことであることを特徴とする請求項３から９のいずれか１項に記載の情報処理装置。
【請求項１１】
上記所定の条件は、上記電気錠制御装置に記憶されている上記鍵情報のうちの不要な鍵情報の数が、所定の閾値を超えたことであることを特徴とする請求項３から９のいずれか１項に記載の情報処理装置。
【請求項１２】
第１のドアに設けられた第１の電気錠と、
記憶している鍵情報が上記第１の電気錠に入力されたとき、該第１の電気錠を解錠する電気錠制御装置と、
上記電気錠制御装置と通信可能に接続された情報処理装置と、を含む電気錠制御システムであって、
上記第１のドアは、建物の出入口に設けられ、少なくとも上記第１の電気錠が解錠されたときに開くものであり、
上記情報処理装置は、
上記電気錠制御装置が記憶している上記鍵情報をすべて削除し、必要な鍵情報のみを再登録するための再登録処理の実行を上記電気錠制御装置に指示し、
上記再登録処理の実行を指示するとき、上記再登録処理中は上記第１の電気錠を常に解錠しておくよう、上記電気錠制御装置に指示することを特徴とする電気錠制御システム。
【発明の詳細な説明】
【技術分野】
【０００１】
本発明は、記憶している鍵情報が、ドアに設けられた電気錠に入力されたとき、上記電気錠を解錠する電気錠制御装置と通信可能に接続された情報処理装置などに関する。
【背景技術】
【０００２】
特許文献１に記載の技術のように、マンションなどの建物のセキュリティのために、出入口に設けられたドアに、電気錠を設置する技術がある。
【０００３】
このような電気錠は、例えば、該電気錠と通信可能に接続されたコントローラによって制御される。具体的には、コントローラは、電気錠に入力された鍵情報が、保持しているデータベースに登録されている場合、電気錠を解錠する。これにより、建物を利用しているユーザのみが、建物内に入ることができる。
【先行技術文献】
【特許文献】
【０００４】
【特許文献１】特開２０１６−１９４２１０号公報（２０１６年１１月１７日公開）
【発明の概要】
【発明が解決しようとする課題】
【０００５】
上述のデータベースにおいて、建物を利用しなくなった人物が登録した鍵情報は不要な鍵情報である。そこで、この不要な鍵情報を削除するのであるが、上述のデータベースには、登録された鍵情報を個別に削除することができないものがある。このようなデータベースを用いるコントローラには、不要な鍵情報を削除するために、登録された上記鍵情報をすべて削除し、必要な鍵情報のみを１つずつ再登録する処理を行う。
【０００６】
しかしながら、この処理は必要な鍵情報の数が多い場合、すべての鍵情報を登録するまでに時間がかかってしまう。このため、この処理の実行中に建物の利用者がドアを通過しようとしたときに、この利用者が登録した鍵情報が、またデータベースに再登録されていないという状況が発生する。この場合、電気錠が解錠されないので、利用者は建物内に入ることができない。
【０００７】
上記の問題を鑑み、本発明の一態様は、鍵情報の再登録中に建物内に入ることができないという状況を防ぐ情報処理装置などを実現することを目的とする。
【課題を解決するための手段】
【０００８】
上記の課題を解決するために、本発明の一態様に係る情報処理装置は、記憶している鍵情報が、第１のドアに設けられた第１の電気錠に入力されたとき、該第１の電気錠を解錠する電気錠制御装置と通信可能に接続された情報処理装置であって、上記第１のドアは、建物の出入口に設けられ、少なくとも上記第１の電気錠が解錠されたときに開くものであり、上記電気錠制御装置に記憶されている上記鍵情報をすべて削除し、必要な鍵情報のみを再登録するための再登録処理の実行を、上記電気錠制御装置に指示する再登録指示部と、上記再登録指示部が上記再登録処理の実行を指示するとき、上記再登録処理中は上記第１の電気錠を常に解錠しておくよう、上記電気錠制御装置に指示する電気錠制御指示部と、を備える。
【０００９】
また、上記の課題を解決するために、本発明の一態様に係る電気錠制御システムは、第１の電気錠と、上記第１の電気錠が設けられた第１のドアと、記憶している鍵情報が上記第１の電気錠に入力されたときに、該第１の電気錠を解錠する電気錠制御装置と、上記電気錠制御装置と通信可能に接続された情報処理装置と、を含む電気錠制御システムであって、上記第１のドアは、建物の出入口に設けられ、少なくとも上記電気錠が解錠されたときに開くものであり、上記情報処理装置は、上記電気錠制御装置が記憶している上記鍵情報をすべて削除し、必要な鍵情報のみを再登録するための再登録処理の実行を、上記電気錠制御装置に指示し、上記再登録処理の実行を指示するとき、上記再登録処理中は上記第１の電気錠を常に解錠しておくよう、上記電気錠制御装置に指示する。
【発明の効果】
【００１０】
本発明の一態様によれば、鍵情報の再登録中に建物内に入ることができないという状況を防ぐという効果を奏する。
【図面の簡単な説明】
【００１１】
【図１】実施形態１〜３に係る電気錠制御システムに含まれる装置の要部構成の一例を示すブロック図である。
【図２】図１に示す電気錠制御システムが実行する処理の概要を示す図である。
【図３】図１に示すコントローラに記憶されている、登録鍵データベースの一具体例を示す図である。
【図４】再登録処理中の登録鍵データベースの一具体例を示す図である。
【図５】再登録処理が終了した登録鍵データベースの一具体例を示す図である。
【図６】図１に示す情報処理装置が表示する、通知画面の一具体例を示す図である。
【図７】図１に示すコントローラおよび情報処理装置が実行する通知処理の流れの一例を示すフローチャートである。
【図８】図１に示すコントローラおよび情報処理装置が実行する再登録処理の流れの一例を示すフローチャートである。
【図９】実施形態２に係るコントローラおよび情報処理装置が実行する通知処理の流れの一例を示すフローチャートである。
【図１０】実施形態２に係る情報処理装置が表示する、通知画面の一具体例を示す図である。
【図１１】実施形態４に係る電気錠制御システムに含まれる装置の要部構成の一例を示すブロック図である。
【図１２】コントローラおよび情報処理装置として利用可能なコンピュータの構成を例示したブロック図である。
【発明を実施するための形態】
【００１２】
〔実施形態１〕
以下、本発明の実施形態１について、図１から図８に基づいて詳細に説明する。図１は、本実施形態に係る電気錠制御システム１００に含まれる装置の要部構成の一例を示すブロック図である。図１に示すように、電気錠制御システム１００は、コントローラ１（電気錠制御装置）、情報処理装置２、電気錠３Ａ（第１の電気錠）、電気錠３Ｂ（第２の電気錠）、人感センサ４、および自動ドア５（第１のドア）を含んでいる。
【００１３】
また、図２は、図１に示す電気錠制御システム１００が実行する処理の概要を示す図である。本実施形態では、図２に示すように、電気錠制御システム１００がマンション２００（建物）に適用されている例を説明する。図２に示すように、自動ドア５は、マンション２００の出入口に設置されており、電気錠３Ａと人感センサ４とが設けられている。
【００１４】
マンション２００の住人、または、マンション２００の部屋を宿泊施設（いわゆる、民泊）として利用している宿泊客が電気錠３Ａを解錠し、かつ、人感センサ４によって検知されることにより、自動ドア５は開く。これにより、住人または宿泊客はマンション２００内に入ることができる。
【００１５】
図２に示すように、マンション２００のロビーには、住人または宿泊客が利用できる共用部屋への入り口となるドア３００（第２のドア）が設けられている。共用部屋とは、マンション２００の共用部分である部屋を指す。すなわち、共用部屋には、ロビー、エントランス、廊下などは含まれない。また、共用部屋の典型例としては、会議室や遊戯室などが挙げられるが、この例に限定されない。これら共用部屋は、事前に利用する時間帯を登録し、その時間帯に利用するものとして説明する。利用する時間帯の登録（いわゆる、予約）は、マンション２００の管理人（情報処理装置２のユーザ）が登録状況を把握できる方法であれば特に限定されない。例えば、管理人に書類を提出することにより行われてもよいし、住人または宿泊客の有する通信端末を用いて、登録サイトにアクセスすることにより行われてもよい。なお、共用部屋は、利用する時間帯の事前登録なしで利用されるものであってもよい。
【００１６】
図２に示すように、ドア３００には、電気錠３Ｂが設けられている。このため、住人または宿泊客は、共用部屋を利用するために、電気錠３Ｂを解錠する必要がある。図２の例では、電気錠３Ｂは１つであるが、共用部屋が複数ある場合、電気錠３Ｂも複数となる。また、電気錠３Ｂは、電気錠３Ａと同様の機能を有している。このため、以降の説明で電気錠３Ａと電気錠３Ｂとを区別しない場合、「電気錠３」と記載する場合がある。
【００１７】
具体的には、電気錠３は、鍵情報の入力を受け付ける。そして、電気錠３は、該鍵情報が後述する登録鍵データベースに登録されているものであれば、コントローラ１により解錠される。本実施形態では、鍵情報は、カード型の鍵（以下、カード鍵と称する）が有しているＩＤ（以下、カードＩＤと称する）、または、事前に設定された暗証番号である。つまり、電気錠３およびカード鍵は近距離無線通信の機能を備えており、電気錠３はカード鍵との近距離無線通信により、カードＩＤを取得することによって解錠される。なお、カード鍵は、カードＩＤを有し、近距離無線通信の機能を備えたカードであれば特に限定されない。例えば、カード鍵は、電気錠３を解錠するための専用のカードであってもよい。本実施形態ではこの例を説明するが、カード鍵は、住人または宿泊客が有するクレジットカード、電子マネーカードなどであってもよい。また、電気錠３を解錠するための鍵の形状は、近距離無線通信の機能を備えていれば（例えば、近距離無線通信のためのタグを備えていれば）、カード型に限定されない。また、近距離無線通信の機能を備えたスマートフォンを鍵として用いてもよい。
【００１８】
また、電気錠３は、暗証番号の入力を受け付けるテンキー、または、暗証番号の入力を受け付けるユーザインターフェースを表示する表示部を備えている。
【００１９】
本実施形態では、カード鍵での電気錠３の解錠は、住人のみが行うことができ、暗証番号の入力での電気錠３の解錠は、住人および宿泊客が行うことができるものとして説明する。すなわち、本実施形態では、住人は、カードＩＤが登録されたカード鍵を、電気錠３へ近接させるか、または、電気錠３へ暗証番号を入力することにより、電気錠３を解錠させることができる。一方、宿泊客は、電気錠３へ暗証番号を入力することにより、電気錠３を解錠させることができる。
【００２０】
なお、電気錠３は、自動ドア５、またはドア３００が閉まったときに施錠されるもの（いわゆる、オートロック）であることが好ましい。つまり、住人や宿泊客が電気錠３を施錠する操作を行わなくとも、電気錠３は施錠されるものであることが好ましい。これにより、カード鍵を持たない人物がマンション２００や共用部屋に入ることを防ぐことができる。
【００２１】
（コントローラ１の要部構成）
再び図１を参照して、コントローラ１の要部構成について説明する。コントローラ１は、電気錠３に、登録されているカードＩＤが入力されたとき、電気錠３を解錠する。コントローラ１は、図１に示すように、制御部１０、記憶部１１、装置通信部１２、および錠通信部１３を備えている。
【００２２】
錠通信部１３は、電気錠３との情報の送受信を行う。具体的には、錠通信部１３は、電気錠３からカードＩＤまたは暗証番号を受信し、制御部１０へ出力する。また、錠通信部１３は、制御部１０から取得した解錠指示を電気錠３へ送信し、電気錠３を解錠させる。装置通信部１２は、情報処理装置２との情報の送受信を行う。なお、該情報の具体例については後述する。装置通信部１２および錠通信部１３は、それぞれ、情報処理装置２および電気錠３と、有線による通信を行ってもよいし、無線による通信を行ってもよい。また、装置通信部１２と情報処理装置２との通信方式、および、錠通信部１３と電気錠３との通信方式は、同じ方式であってもよいし、異なる方式であってもよい。
【００２３】
記憶部１１は、コントローラ１が使用する各種データを記憶する。記憶部１１は、少なくとも、登録鍵データベース１１１を記憶している。ここで、図３を参照して、登録鍵データベース１１１について説明する。図３は、登録鍵データベース１１１の一具体例を示す図である。
【００２４】
登録鍵データベース１１１は、電気錠３の解錠を行うことができるカード鍵のカードＩＤ、および、暗証番号を格納するテーブルである。図３に示すように、登録鍵データベース１１１は、１つのスロットに１つのカードＩＤまたは暗証番号を格納する。登録鍵データベース１１１のスロット数には上限があり、図３の例ではスロット数は１００００である。なお、図３の例では、カードＩＤは１１桁の数字であり、暗証番号は４桁の数字であるが、カードＩＤおよび暗証番号はこの例に限定されない。例えば、桁数が図示の例と異なってもよいし、数字だけでなくアルファベットを含んでいてもよい。
【００２５】
また、登録鍵データベース１１１は、図３に示すように、無効なカードＩＤおよび暗証番号に付す無効フラグを格納するカラムを含んでいる。無効なカードＩＤとは、一度登録されたカードＩＤまたは暗証番号であるが、現在は電気錠３を解錠することができないカードＩＤまたは暗証番号である。無効なカードＩＤおよび暗証番号の典型例としては、住人が紛失したカード鍵のカードＩＤ、以前宿泊した宿泊客が使用していた暗証番号などが挙げられる。
【００２６】
なお、詳細については後述するが、情報処理装置２も登録鍵データベース１１１と同一の登録鍵データベース２１１を記憶している。
【００２７】
制御部１０は、コントローラ１の各部を統括して制御する。制御部１０は、再登録実行部１０１および電気錠制御部１０２を含んでいる。
【００２８】
再登録実行部１０１は、登録鍵データベース１１１へ、カードＩＤおよび暗証番号を再登録する再登録処理を実行する。ここで、図３から図５を参照して、再登録処理について説明する。図４は、再登録処理中の登録鍵データベース１１１の一具体例を示す図であり、図５は、再登録処理が終了した登録鍵データベース１１１の一具体例を示す図である。
【００２９】
まず、カードＩＤおよび暗証番号の登録について説明する。なお、ここで説明する登録の流れは一例であり、登録の流れはこの例に限定されない。
【００３０】
マンション２００の管理人は、情報処理装置２と通信可能に接続されたカードリーダ（不図示）で、カード鍵のカードＩＤを読み取る。これにより、情報処理装置２はカードＩＤを取得する。また、管理人は、住人が設定した暗証番号を受け取り、情報処理装置２へ入力する。また、管理人は、民泊としての利用が決定したことを確認したとき（例えば、宿泊予約を受け付けた旨を通知されたとき）、１部屋につき１つの暗証番号を設定し、情報処理装置２へ入力する。なお、民泊の利用者の暗証番号の設定は、チェックイン時などに行われてもよい。
【００３１】
管理人が情報処理装置２に対して所定の操作を入力することにより、情報処理装置２の制御部２０（後述）は、カードＩＤおよび暗証番号の登録命令とともに、カードＩＤまたは暗証番号をコントローラ１へ送信する。登録命令とカードＩＤまたは暗証番号を取得したコントローラ１の制御部１０は、該カードＩＤまたは暗証番号を、登録鍵データベース１１１のスロットのうち、カードＩＤおよび暗証番号が格納されていない、最もスロット番号が小さいスロットへ格納する。図３の例の場合、スロット番号が「９２５１」のスロットへカードＩＤまたは暗証番号を格納する。
【００３２】
次に、カードＩＤおよび暗証番号の無効化について説明する。なお、ここで説明する無効化の流れは一例であり、無効化の流れはこの例に限定されない。
【００３３】
マンション２００の管理人は、情報処理装置２に記憶されている、カードＩＤおよび暗証番号と、部屋番号とを対応付けたデータベース（不図示）を参照して、無効化するカードＩＤおよび暗証番号を特定する。なお、該データベースにおけるカードＩＤおよび暗証番号と部屋番号との対応付けは、カードＩＤを住人に渡したとき、および、暗証番号を設定したときに、管理人が情報処理装置２を操作することで行えばよい。
【００３４】
管理人が情報処理装置２に対して所定の操作を入力することにより、情報処理装置２の制御部２０は、特定したカードＩＤまたは暗証番号と、該カードＩＤまたは暗証番号を無効化するための無効化命令をコントローラ１へ送信する。また、制御部２０は、登録鍵データベース２１１を参照して、特定したカードＩＤまたは暗証番号に、無効フラグを付す。
【００３５】
無効化命令とカードＩＤまたは暗証番号を取得したコントローラ１の制御部１０は、登録鍵データベース１１１を参照して、該カードＩＤまたは暗証番号を特定し、無効フラグを付す。これにより、該カードＩＤを有するカード鍵、または暗証番号による、電気錠３の解錠を行うことはできなくなる。
【００３６】
登録鍵データベース１１１は、格納されているカードＩＤおよび暗証番号の、個別の削除を受け付けない。換言すれば、制御部１０は、登録鍵データベース１１１に格納されているカードＩＤおよび暗証番号を個別に削除することができない。また、上述したように、登録鍵データベース１１１のスロット数には上限がある。このため、格納されたカードＩＤおよび暗証番号の数が上限に達すると、制御部１０は、登録鍵データベース１１１に新たなカードＩＤおよび暗証番号を格納することができなくなる。よって、マンション２００に新たな住人または宿泊客が来たとしても、これらの人が利用する暗証番号の登録を行うことができなくなる。
【００３７】
この問題は、本実施形態のマンション２００のように、民泊として利用されるマンションにおいては、特に深刻な問題となる。例えば、図３の例に示す、１００００個のスロットを有する登録鍵データベース１１１において、３８５０個が住人のカードＩＤを登録しているスロットであり、残りの６１５０個が民泊の宿泊客のためのスロットであるとする。また、民泊として利用される部屋の数は５０であるとし、５０部屋すべてにおいて、１グループにおいて２泊の利用が１か月間連続して行われるものとする（すなわち、１か月間において１部屋あたり１５グループが利用する）。この場合、１か月間の新たな暗証番号の登録数は、５０×１５＝７５０であり、格納されたカードＩＤおよび暗証番号の数が上限に達するまでの期間は、６１５０÷７５０＝８．２か月となる。すなわち、この概算によると、８．２か月で、新たな宿泊客のための暗証番号の登録を行うことができなくなる。
【００３８】
この問題を解決するために、再登録実行部１０１は、再登録処理を行う。具体的には、再登録実行部１０１は、情報処理装置２から、再登録処理の開始を指示する再登録命令を受信すると、図４の（ａ）に示すように、登録鍵データベース１１１に格納されているカードＩＤおよび暗証番号をすべて削除する。そして、再登録実行部１０１は、その旨を情報処理装置２へ通知する。すなわち、再登録命令は、登録鍵データベース１１１に格納されているカードＩＤおよび暗証番号をすべて削除するための全削除要求であると表現することもできる。
【００３９】
また、再登録実行部１０１は、情報処理装置２から、カードＩＤまたは暗証番号を１つ受信すると、図４の（ｂ）に示すように、該カードＩＤまたは暗証番号を登録鍵データベース１１１へ格納し、格納したことを情報処理装置２へ通知する。この通知を送信することにより、情報処理装置２から再び、カードＩＤまたは暗証番号が１つ送信される。再登録実行部１０１は、格納されるべきカードＩＤおよび暗証番号をすべて受信するまで、この処理を繰り返す。
【００４０】
換言すれば、再登録実行部１０１は、情報処理装置２からの、全削除要求の受信と、１つのカードＩＤまたは暗証番号の登録鍵データベース１１１への格納要求の繰り返しの受信とにより、上述の再登録処理を行う。
【００４１】
ここで、情報処理装置２は、登録鍵データベース２１１に格納されているカードＩＤおよび暗証番号のうち、無効フラグが付されていないカードＩＤおよび暗証番号のみをコントローラ１へ送信する。すなわち、再登録処理によって登録鍵データベース１１１へ格納されるカードＩＤおよび暗証番号は、無効フラグが付されていないカードＩＤおよび暗証番号のみである。このため、図５に示すように、再登録処理が終了すると、登録鍵データベース１１１は、無効フラグが付されたカードＩＤおよび暗証番号が削除されたものとなる。これにより、図３の例では、格納されているカードＩＤおよび暗証番号の数が９２５０であったが、図５の例では、この数が３９００まで減っている。
【００４２】
なお、再登録実行部１０１は、受信したカードＩＤおよび暗証番号を１つずつ登録鍵データベース１１１へ格納する構成に限定されない。再登録実行部１０１は、受信したカードＩＤおよび暗証番号を所定数（例えば、２つ）ずつ登録鍵データベース１１１へ格納する構成であってもよい。
【００４３】
電気錠制御部１０２は、電気錠３の解錠を制御する。具体的には、電気錠制御部１０２は、電気錠３から受信した、カードＩＤまたは暗証番号を、錠通信部１３を介して取得すると、取得したカードＩＤまたは暗証番号が、登録鍵データベース１１１に格納されているか否かを判定する。そして、電気錠制御部１０２は、取得したカードＩＤまたは暗証番号が、登録鍵データベース１１１に格納されていると判定した場合、電気錠３へ解錠命令を送信し、電気錠３を解錠させる。一方、取得したカードＩＤまたは暗証番号が、登録鍵データベース１１１に格納されていないと判定した場合、電気錠制御部１０２は、電気錠３の解錠を行わない。
【００４４】
また、電気錠制御部１０２は、情報処理装置２から、電気錠３Ａを常に解錠しておくための常時解錠命令を受信すると、電気錠３Ａに常時解錠命令を送信し、電気錠３Ａを解錠されたまま（以降、「常時解錠状態」と称する）とする。すなわち、電気錠制御部１０２は、電気錠３Ａを常時解錠状態とすることにより、カードＩＤおよび暗証番号が、登録鍵データベース１１１に格納されているか否かの判定を行わない。以下、この処理を実行する理由について説明する。
【００４５】
再登録処理は、上述したように、登録鍵データベース１１１に格納されているカードＩＤおよび暗証番号をすべて削除し、必要なカードＩＤおよび暗証番号を１つずつ格納していく処理である。このため、カードＩＤおよび暗証番号をすべて再格納するまでに時間を要する場合がある。例えば、１つのカードＩＤまたは暗証番号を格納するために要する時間を０．３秒とすると、図５のように、３９００個のカードＩＤおよび暗証番号を格納するためには、１９．５分の時間がかかる。
【００４６】
このため、再登録処理中に住人または宿泊客が自動ドア５を通過しようとしたときに、該住人または宿泊客が登録したカードＩＤおよび暗証番号が登録鍵データベース１１１に格納されていないという状況が発生する。この場合、電気錠制御部１０２は、電気錠３Ａを解錠することができない。
【００４７】
そこで、上述したように、電気錠制御部１０２は、再登録処理中は、情報処理装置２からの常時解錠命令に従って、電気錠３Ａを常時解錠状態とする。これにより、住人および宿泊客は、例えば、電気錠３Ａにカード鍵を近接させたり、暗証番号を入力したりすることなく、自動ドア５を通過することができる。よって、住人および宿泊客が自動ドアを通過できないという状況を防ぐことができる。
【００４８】
また、電気錠制御部１０２は、情報処理装置２から、電気錠３Ｂを常に施錠しておくための常時施錠命令を受信すると、電気錠３Ｂに常時施錠命令を送信し、電気錠３Ｂを解錠できない状態（以降、「解錠不可状態」と称する）とする。電気錠３Ｂは、解錠不可状態となると、カードＩＤおよび暗証番号を取得しても、コントローラ１へ送信しない。
【００４９】
これにより、再登録処理中は、誰であっても共用部屋に入ることができなくなる。つまり、再登録処理中に、住人でも宿泊客でもない人物が自動ドア５を通過したとしても、共用部屋に入ることはできない。これにより、マンション２００内のセキュリティを保つことができる。
【００５０】
なお、マンション２００の専有部分（すなわち、居住または宿泊のための部屋）のドアは、上述したカード鍵の近接または暗証番号の入力を、該ドアに設けられた電気錠３に対して行うことで開くものであってもよい。また、該ドアは、別の方法（例えば、鍵を錠に挿し込み、回すなど）によって開くものであってもよい。ただし、前者の場合、各部屋のドアに設けられた電気錠３は、電気錠制御システム１００とは別のシステムで制御される。すなわち、各部屋のドアに設けられた電気錠３は、電気錠制御システム１００で再登録処理が行われていたとしても常時解錠状態や解錠不可状態となることはなく、通常どおり解錠または施錠を行うことができる。つまり、再登録処理中に、住人でも宿泊客でもない人物が自動ドア５を通過したとしても、専有部分に勝手に入ることはできない。これにより、マンション２００内のセキュリティを保つことができる。
【００５１】
また、電気錠制御部１０２は、情報処理装置２から、再登録処理が終了した旨を通知されると、電気錠３Ａを施錠させ、電気錠３Ｂの解錠不可状態を解除させる。具体的には、電気錠制御部１０２は、電気錠３Ａに施錠命令を送信し、電気錠３Ｂに解錠不可状態の解除命令を送信する。これにより、住人または宿泊者は、電気錠３Ａおよび電気錠３Ｂを、通常どおり解錠することができるようになる。なお、再登録処理が終了した旨の通知は、常時解錠状態および解錠不可状態の解除命令であってもよい。
【００５２】
（情報処理装置２の要部構成）
図１を引き続き参照して、情報処理装置２の要部構成について説明する。情報処理装置２は、コントローラ１と通信可能に接続されており、典型的には、管理人室に設けられたパーソナルコンピュータである。情報処理装置２は、図１に示すように、制御部２０、記憶部２１、通信部２２、入力部２３、および表示部２４を備えている。
【００５３】
通信部２２は、コントローラ１との情報の送受信を行う。具体的には、通信部２２は、制御部１０から取得した各種情報をコントローラ１へ送信する。また、通信部２２は、コントローラ１から受信した各種情報を制御部２０へ出力する。各種情報の詳細については、上述したコントローラ１の要部構成、および、後述する制御部２０の説明しているため、ここでの説明は省略する。
【００５４】
入力部２３は、情報処理装置２のユーザによる操作入力を受け付ける。例えば、入力部２３は、再登録処理をコントローラ１に開始させるための操作（以降、「再登録開始操作」）を受け付け、制御部２０へ再登録開始操作を受け付けたことを示す信号を出力する。入力部２３は、図示のように情報処理装置２と一体となっていてもよいし、別体であってもよい。前者の場合、入力部２３の典型例は、ノートパソコンなどに設けられたタッチパネルやキーボードである。後者の場合、入力部２３の典型例は、コンピュータに接続されたマウスやキーボードである。
【００５５】
表示部２４は、情報処理装置２が受け付けた操作または受信した情報に対する応答として、各種画面を表示する。表示部２４は、図示のように情報処理装置２と一体となっていてもよいし、別体であってもよい。具体的には、表示部２４は、通知命令に対する応答として、再登録処理の実行を促す通知画面を表示する。通知画面の詳細については後述する。
【００５６】
記憶部２１は、情報処理装置２が使用する各種データを記憶する。記憶部２１は、少なくとも、登録鍵データベース２１１と、共用部屋予約情報２１２（使用時間帯）とを記憶している。登録鍵データベース２１１は、上述したように、登録鍵データベース１１１と同一のデータベースである。このため、ここでの説明を省略する。共用部屋予約情報２１２は、共用施設の利用者、および、共用施設が利用される日付および時間帯を示す情報である。
【００５７】
制御部２０は、情報処理装置２の各部を統括して制御する。制御部２０は、再登録命令部２０１（再登録指示部、電気錠制御指示部）、特定部２０２、通知部２０３、および条件判定部２０４を含んでいる。
【００５８】
再登録命令部２０１は、コントローラ１へ再登録命令を送信する。具体的には、再登録命令部２０１は、入力部２３から、再登録開始操作を受け付けたことを示す信号を取得すると、通信部２２を介して、再登録命令をコントローラ１へ送信する。コントローラ１から、該再登録命令に基づく、カードＩＤおよび暗証番号の全削除の実行を通知されると、再登録命令部２０１は、登録鍵データベース２１１に含まれる、無効フラグが付されていないカードＩＤおよび暗証番号を１つずつコントローラ１へ送信する。具体的には、再登録命令部２０１は、コントローラ１から、カードＩＤまたは暗証番号を登録したことを通知される度に、無効フラグが付されていないカードＩＤまたは暗証番号を１つずつコントローラ１へ送信する。
【００５９】
また、再登録命令部２０１は、再登録命令を送信する前、または、再登録命令とともに、上述した常時解錠命令および常時施錠命令をコントローラ１へ送信する。さらに、再登録命令部２０１は、無効フラグが付されていないカードＩＤおよび暗証番号をすべてコントローラ１へ送信すると、その旨をコントローラ１へ通知する。
【００６０】
条件判定部２０４は、再登録処理を行うべき状況を示す所定の条件が満たされているか否かを判定する。該条件は、登録鍵データベース１１１に関する条件であり、本実施形態では、登録鍵データベース１１１に格納されたカードＩＤおよび暗証番号の数が、所定の閾値を超えたことである。なお、本実施形態では、該所定の閾値を９２５０とする。この閾値は、上述した概算において、登録されたカードＩＤおよび暗証番号の数が１００００に到達する１ヶ月前のカードＩＤおよび暗証番号の数である。換言すれば、登録鍵データベース１１１のスロット数（１００００）から、１月あたりの宿泊者の暗証番号の登録数（７５０）を減算した値である。
【００６１】
この所定の閾値は一例であり、所定の閾値を９２５０に限定する意図はない。例えば、閾値は、スロット数（１００００）の９割の数値である９０００であってもよい。このように、所定の閾値としては様々な値が考えられるため、状況に応じて適切な値が設定されればよい。
【００６２】
条件判定部２０４は、制御部２０がカードＩＤおよび暗証番号の登録命令をコントローラ１へ送信すると、登録数合計指示を送信する。ここで、登録数合計指示とは、登録鍵データベース１１１に格納されているカードＩＤおよび暗証番号の合計値の算出を、コントローラ１へ行わせるための指示である。条件判定部２０４は、該指示の応答として、登録鍵データベース１１１に格納されているカードＩＤおよび暗証番号の合計値を受信すると、その合計値が、所定の閾値を超えているか否かを判定する。
【００６３】
合計数が所定の閾値を超えている場合、条件判定部２０４は、特定部２０２に対して、再登録処理の実行を促す通知を行うよう指示する。
【００６４】
特定部２０２は、情報処理装置２のユーザ（管理人）に対して通知される、再登録処理の実行に適した、１以上の時間帯を特定する。具体的には、特定部２０２は、条件判定部２０４からの指示を受けると、コントローラ１へ指示して、自動ドア５の動作履歴（履歴情報）を情報処理装置２へ送信させる。自動ドア５の動作履歴とは、自動ドア５が開閉した日時を古い順、または新しい順に並べたものである。自動ドア５の動作履歴を取得すると、特定部２０２は、該動作履歴に基づいて、複数の時間帯ごとに、所定の期間における自動ドア５が開閉した回数の平均値を算出する。複数の時間帯の典型例は、０時から２４時までを１時間ごとに分割した、合計２４個の時間帯であるが、この例に限定されるものではない。また、所定の期間とは、例えば、自動ドア５が設置されてから現在までであってもよいし、１か月前から現在までであってもよい。
【００６５】
続いて、特定部２０２は、各時間帯の平均値と、所定の閾値とを比較し、平均値が所定の閾値以下である時間帯を特定する。また、特定部２０２は、共用部屋予約情報２１２を参照して、特定した時間帯に、共用施設の利用予約があるか否かを確認する。特定した時間帯に利用予約がある場合、該時間帯を排除する。そして、特定部２０２は、特定した時間帯を、平均値が少ない順に並べ、再登録処理の実行を促す通知を行うための通知命令とともに通知部２０３へ出力する。
【００６６】
なお、特定部２０２は、各時間帯の平均値を算出する構成に限定されない。例えば、各時間帯の中央値、または、最頻値を算出する構成であってもよい。
【００６７】
また、特定部２０２は、自動ドア５が開閉する度に、その日時をコントローラ１から受信する構成であってもよい。具体的には、自動ドア５が開閉すると、コントローラ１はその日時を特定し、該日時を示す日時情報を情報処理装置２へ送信する。特定部２０２は、該日時情報を記憶部２１へ記憶する。つまり、特定部２０２は、情報処理装置２において自動ドア５の動作履歴を生成することができる。よって特定部２０２は、条件判定部２０４からの指示を受けたときに、コントローラ１との通信を行わずに、再登録処理の実行に適した時間帯を特定することができる。
【００６８】
通知部２０３は、再登録処理の実行を促す通知画面を、表示部２４へ表示させる。この処理について、図６を参照して説明する。図６は、通知画面の一具体例を示す図である。
【００６９】
通知画面は、例えば、図６の（ａ）に示すものであってもよい。図６の（ａ）に示す通知画面は、鍵の登録数が上限に近付いている旨を示すテキスト、再登録処理を促すテキスト、および、再登録処理の実行に適した時間帯を表示するためのリンク画像（図示の「おすすめの時間帯」）とを含む。通知画面を表示部２４へ表示させることにより、管理人に、再登録処理を行うべき状況であることを認識させることができる。
【００７０】
管理人が、入力部２３を介して、リンク画像を選択する操作を入力すると、通知画面は、図６の（ｂ）に示す画面に遷移する。該画面は、再登録処理の実行に適した時間帯を管理人に通知する画面である。該画面には、特定部２０２が特定した時間帯が、所定の期間における自動ドア５が開閉した回数の平均値の少ない順に並んでいる。該画面を表示することにより、管理人は、再登録処理を実行する時間帯を容易に決定することができる。また、通知された時間帯に再登録処理を実行することにより、再登録処理中に住人または宿泊者が自動ドア５を通過しようとするという状況の発生を最小限に抑えることができる。
【００７１】
通知部２０３は、通知命令と、特定部２０２が特定した時間帯とを取得すると、図６の（ａ）に示す画面、および、図６の（ｂ）に示す画面を生成し、表示部２４へ表示させる。なお、特定部２０２から取得する時間帯以外のテキストおよび画像は、記憶部２１に記憶しておけばよい（図１では不図示）。
【００７２】
また、通知部２０３は、再登録処理にかかる時間を算出し、通知画面や再登録処理に適した時間帯とともに、表示部２４に表示させてもよい。具体的には、通知部２０３は、無効フラグが付されていないカードＩＤおよび暗証番号の総数に、カードＩＤまたは暗証番号を１つ登録鍵データベース１１１に格納するためにかかる時間（以下、格納時間）を乗算することで、上記時間を算出する。格納時間は、記憶部２１に予め記憶しておけばよい。
【００７３】
なお、再登録処理中は、管理人が管理人室に駐在していることが好ましい。これにより、住人でも宿泊客でもない人物が自動ドア５を通過したとしても、管理人がその人物に対して対応することができる。
【００７４】
（通知処理の流れ）
次に、図７を参照して、情報処理装置２が実行する通知処理の流れについて説明する。図７は、通知処理の流れの一例を示すフローチャートである。
【００７５】
図示の通知処理の前段階として、コントローラ１の再登録実行部１０１は、新たなカードＩＤまたは暗証番号を登録鍵データベース１１１に格納する。そして、再登録実行部１０１は、登録命令とともに情報処理装置２から送信された登録数合計指示に従って、カードＩＤおよび暗証番号の登録数（登録鍵データベース１１１への格納数）の合計値を算出し、情報処理装置２へ送信する。
【００７６】
情報処理装置２の条件判定部２０４は、受信した合計値が、所定の閾値を超えたか否かを判定する（ステップＳ１、以下、括弧内において「ステップ」を省略）。所定の閾値を超えている場合（ステップＳ１でＹＥＳ）、条件判定部２０４は、特定部２０２へ、再登録処理の実行を促す通知を行うよう指示する。
【００７７】
特定部２０２は、条件判定部２０４からの指示を受けて、再登録処理に適した時間帯を特定する（Ｓ２）。そして、特定した時間帯と通知命令とを通知部２０３へ出力する。続いて、通知部２０３は、再登録を促す通知画面を、表示部２４へ表示させる（Ｓ３）。また、通知部２０３は、再登録処理に適した時間帯を、表示部２４へ表示させる（Ｓ４）。ステップＳ４の処理は、例えば、ステップＳ３で表示された通知画面に含まれるリンク画像が選択されたことをトリガとして表示されてもよい。以上で、通知処理は終了する。
【００７８】
（再登録処理の流れ）
次に、図８を参照して、コントローラ１および情報処理装置２が実行する再登録処理の流れについて説明する。図８は、再登録処理の流れの一例を示すフローチャートである。
【００７９】
情報処理装置２の再登録命令部２０１は、再登録開始操作を示す信号を待機している（Ｓ２１）。入力部２３に対して再登録開始操作が入力され、入力部２３から信号が再登録命令部２０１へ出力されると（Ｓ２１でＹＥＳ）、再登録命令部２０１は、再登録命令、常時解錠命令、および常時施錠命令をコントローラ１へ送信する（Ｓ２２）。
【００８０】
常時解錠命令および常時施錠命令を受信した電気錠制御部１０２は、自動ドア５の電気錠３Ａを常時解錠状態とし（Ｓ３１）、共用施設の電気錠３Ｂを解錠不可状態とする（Ｓ３２）。
【００８１】
また、再登録命令を受信した再登録実行部１０１は、登録鍵データベース１１１に格納されているカードＩＤおよび暗証番号をすべて消去し、その旨を情報処理装置２へ通知する（Ｓ３３）。
【００８２】
再登録命令部２０１は、情報処理装置２からの通知を受けると、有効かつ未送信のカードＩＤまたは暗証番号を１つ選択し、コントローラ１へ送信する（Ｓ２３）。有効なカードＩＤおよび暗証番号とは、すなわち、登録鍵データベース２１１において、無効フラグが付されていないカードＩＤおよび暗証番号である。なお、登録鍵データベース１１１に格納されているカードＩＤおよび暗証番号をすべて消去した旨の通知を受信した時点では、有効なカードＩＤおよび暗証番号はすべて未送信である。このため、該通知を受信した再登録命令部２０１は、カードＩＤおよび暗証番号が未送信であるか否かを判定する必要はない。
【００８３】
再登録実行部１０１は、情報処理装置２から受信したカードＩＤおよび暗証番号を登録（登録鍵データベース１１１へ格納）し、その旨を情報処理装置２へ通知する（Ｓ３４）。
【００８４】
再登録命令部２０１は、情報処理装置２からの通知を受けると、すべての有効なカードＩＤおよび暗証番号を送信したか否かを判定する（Ｓ２４）。未送信の有効なカードＩＤおよび暗証番号がある場合（Ｓ２４でＮＯ）、再登録処理はステップＳ２３に戻る。
【００８５】
一方、すべての有効なカードＩＤおよび暗証番号を送信した場合（Ｓ２４でＹＥＳ）、再登録命令部２０１はカードＩＤおよび暗証番号の送信が終了した旨をコントローラ１へ通知する（Ｓ２５）。
【００８６】
電気錠制御部１０２は、コントローラ１からの通知を受信すると、自動ドア５の電気錠３Ａを施錠する（Ｓ３５）。また、電気錠制御部１０２は、共用施設の電気錠３Ｂの解錠不可状態を解除する（Ｓ３６）。以上で、再登録処理は終了する。
【００８７】
〔実施形態２〕
本発明の他の実施形態について、図９および図１０を参照して以下に説明する。なお、説明の便宜上、上記実施形態にて説明した部材と同じ機能を有する部材については、同じ符号を付記し、その説明を繰り返さない。
【００８８】
実施形態１では、登録鍵データベース１１１に格納されているカードＩＤおよび暗証番号の総数が所定の閾値を超えたときに、再登録処理が実行される構成を説明した。しかしながら、再登録処理が実行されるタイミングは、実施形態１の例に限定されない。本実施形態では、該タイミングの別の例、具体的には、無効な鍵の数が所定の閾値を超えたときに再登録処理が実行される例について説明する。
【００８９】
（通知処理の流れ）
図９は、本実施形態に係る通知処理の流れの一例を示すフローチャートである。なお、実施形態１で説明した通知処理（図７）と同じ処理を行うステップについては、図７と同じステップ番号を付し、ここでの説明を省略する。
【００９０】
図示の通知処理の前段階として、コントローラ１の再登録実行部１０１は、登録鍵データベース１１１に格納されたカードＩＤまたは暗証番号に無効フラグを付す。そして、再登録実行部１０１は、無効化命令とともに情報処理装置２から送信された無効数合計指示に従って、無効フラグが付されたカードＩＤおよび暗証番号の数の合計値を算出し、情報処理装置２へ送信する。
【００９１】
ここで、無効数合計指示とは、登録鍵データベース１１１に格納されたカードＩＤおよび暗証番号のうちの、無効フラグが付されたカードＩＤおよび暗証番号の合計値の算出を、コントローラ１へ行わせるための指示である。
【００９２】
条件判定部２０４は、受信した合計値が、所定の閾値を超えたか否かを判定する。すなわち、条件判定部２０４は、無効な鍵の数が所定の閾値を超えたか否かを判定する（Ｓ４１）。この数が所定の閾値を超えた場合（Ｓ４１でＹＥＳ）、ステップＳ２からＳ４が実行され、通知処理は終了する。
【００９３】
なお、上記所定の閾値は、例えば、４９２０であってもよい。この閾値は、実施形態１に記載した概算において、民泊利用者用の暗証番号を格納するスロット数（６１５０）の８割の数値である。なお、所定の閾値が４９２０であることは一例であり、所定の閾値をこの値に限定する意図はない。
【００９４】
また、本実施形態に係る情報処理装置２が表示する通知画面は、例えば、図１０に示すものであってもよい。図１０は、通知画面の別の具体例を示す図である。すなわち、本実施形態に係る通知画面は、鍵の登録数が上限に近付いている旨を示すテキストに代えて、無効な鍵が多くなっていることを示すテキストを含むものであってもよい。
【００９５】
〔実施形態３〕
本発明のさらなる別の実施形態について、以下に説明する。なお、説明の便宜上、上記実施形態にて説明した部材と同じ機能を有する部材については、同じ符号を付記し、その説明を繰り返さない。
【００９６】
再登録処理中のセキュリティを保つために、再登録処理は、管理人が管理人室に在室（駐在）しているときに行うことが好ましい。一方で、実施形態１で説明した、情報処理装置２が提示する、再登録処理に適した時間帯は自動ドア５が開閉した回数が少ない時間帯であるため、深夜から早朝にかけての時間帯が多くなる。このような時間帯に再登録処理を行う場合、管理人は、深夜や早朝に管理人室に在室しなければならず、負担が大きい。
【００９７】
この問題を鑑みて、本実施形態に係る情報処理装置２の特定部２０２は、予め設定された管理人の勤務時間帯を考慮して、再登録処理に適した時間帯を特定する。具体的には、記憶部２１には管理人の勤務時間情報（駐在時間帯、不図示）が記憶されている。該勤務時間情報は、管理人が入力部２３を操作することにより入力された、自身の勤務時間（例えば、９：００〜１７：００）を、制御部２０が記憶部２１に記憶すればよい。特定部２０２は、自動ドア５が開閉した回数の平均値が所定の閾値以下である時間帯を特定すると、勤務時間情報を読み出し、特定した時間帯が管理人の勤務時間内であるか否かを確認する。特定した時間帯が管理人の勤務時間外である場合、該時間帯を排除する。
【００９８】
なお、この処理は、実施形態１で説明した、「特定した時間帯に共用施設の利用予約がある場合、該時間帯を排除する」処理に代えて行ってもよいし、この処理とともに行ってもよい。
【００９９】
これにより、再登録処理は、管理人の勤務時間中における、自動ドア５が開閉する回数が少ない時間帯に行われることとなる。よって、管理人の負担を軽減することができる。
【０１００】
〔実施形態４〕
本発明の更なる別の実施形態について、図１１を参照して以下に説明する。なお、説明の便宜上、上記実施形態にて説明した部材と同じ機能を有する部材については、同じ符号を付記し、その説明を繰り返さない。
【０１０１】
実施形態１および２では、情報処理装置２は、条件判定部２０４が、再登録処理を行うべき状況を示す所定の条件が満たされたと判定した場合、再登録処理の実行を促す通知を行う構成であった。これに対して、本実施形態では、所定の条件が満たされたと判定した場合、再登録命令をコントローラ１へ送信する情報処理装置２ａについて説明する。
【０１０２】
図１１は、本実施形態に係る電気錠制御システム１００ａに含まれる装置の要部構成の一例を示すブロック図である。電気錠制御システム１００ａが、実施形態１で説明した電気錠制御システム１００と異なる点は、情報処理装置２に代えて情報処理装置２ａを含む点である。
【０１０３】
情報処理装置２ａが、情報処理装置２と異なる点は、制御部２０および記憶部２１に代えて、制御部２０ａおよび記憶部２１ａを備える点である。
【０１０４】
制御部２０ａは、情報処理装置２ａの各部を統括して制御する。制御部２０ａは、再登録命令部２０１および条件判定部２０４に代えて、再登録命令部２０１ａおよび条件判定部２０４ａを含む。また、制御部２０ａは、制御部２０に含まれていた特定部２０２および通知部２０３を含まない。
【０１０５】
条件判定部２０４ａは、再登録処理を行うべき状況を示す所定の条件が満たされたと判定した場合、その旨を再登録命令部２０１ａに通知する点が、条件判定部２０４と異なる。また、再登録命令部２０１ａは、再登録開始操作を受け付けたことを示す信号の取得ではなく、条件判定部２０４ａからの通知をトリガとして、再登録命令をコントローラ１へ送信する。
【０１０６】
すなわち、本実施形態に係る情報処理装置２ａは、ユーザ（管理人）の操作を受け付けることなく、再登録処理をコントローラ１に行わせることができる。よって、管理人の負担を減らすことができる。
【０１０７】
なお、情報処理装置２ａは、所定の条件が満たされたと判定したとき、再登録処理の実行に適した時間帯を特定し、該特定した時間帯に、再登録命令をコントローラ１へ送信する構成であってもよい。すなわち、情報処理装置２ａの制御部２０ａは、実施形態１〜３で説明した特定部２０２を備えていてもよい。
【０１０８】
この例の場合、条件判定部２０４ａは、所定の条件が満たされたと判定した旨を、特定部２０２へ通知する。特定部２０２は、該通知をトリガとして、再登録処理の実行に適した時間帯を特定する。なお、時間帯の特定については、実施形態１〜３にて説明した方法を用いればよいため、ここでの説明を省略する。特定部２０２は、特定した時間帯を再登録命令部２０１ａへ出力する。再登録命令部２０１ａは、該時間帯となったとき、再登録命令をコントローラ１へ送信する。
【０１０９】
〔変形例〕
実施形態１〜４では、情報処理装置２（または情報処理装置２ａ）の特定部２０２は、再登録処理に適した時間帯を特定するために、自動ドア５が開閉した回数の平均値が所定の閾値以下である時間帯を特定していたが、この処理は必須ではない。すなわち、特定部２０２は、自動ドア５が開閉した回数の平均値が所定の閾値以下である時間帯の特定、共用施設の利用予約がなされた時間帯の特定、および、管理人の勤務時間の特定のうち、少なくとも１つを行い、再登録処理に適した時間帯を特定すればよい。
【０１１０】
実施形態１〜４では、登録鍵データベース１１１と登録鍵データベース２１１は同一のものであるとして説明したが、これら２つのデータベースは同一でなくてもよい。例えば、登録鍵データベース２１１は、格納されているカードＩＤおよび暗証番号を個別に削除することができるものであってもよい。例えば、情報処理装置２の制御部２０は、カードＩＤおよび暗証番号の無効化のための操作を行ったことをトリガとして、登録鍵データベース２１１に格納された、該当するカードＩＤまたは暗証番号を削除してもよい。この例の場合、再登録命令部２０１が、再登録処理のために、カードＩＤおよび暗証番号をコントローラ１へ送信するときに、無効フラグが付されているか否かを確認する必要が無くなる。また、この例の場合、登録鍵データベース２１１において、無効フラグのカラムは省略されてもよい。
【０１１１】
また、登録鍵データベース２１１は、部屋番号を示す情報を格納するカラムを有していてもよい。換言すれば、登録鍵データベース２１１において、カードＩＤおよび暗証番号は、それらのカードＩＤおよび暗証番号を使用する住人が居住する、または、宿泊客が宿泊する部屋の部屋番号と対応付けられて記憶されていてもよい。この例の場合、管理人は、無効化するカードＩＤまたは暗証番号を特定するために、登録鍵データベース２１１を参照すればよい。つまり、この例の場合、カードＩＤおよび暗証番号と、部屋番号とを対応付けたデータベースを別に用意する必要が無くなる。
【０１１２】
実施形態１〜４では、登録鍵データベース１１１のスロット数に上限がある例を説明したが、該スロット数には上限が無くてもよい。なお、登録鍵データベース１１１に上限が無い場合、格納されたカードＩＤおよび暗証番号の数が増えるにしたがって、電気錠の解除に時間がかかるおそれがある。このような場合に再登録処理を実行することで、電気錠の解錠に時間がかかるという状況を防ぐことができる。
【０１１３】
実施形態１〜４では、登録鍵データベース１１１は、格納されているカードＩＤおよび暗証番号の、個別の削除を受け付けない例を説明したが、登録鍵データベース１１１は、個別の削除を受け付けるものであってもよい。ただし、登録鍵データベース１１１が個別の削除を受け付ける例であっても、再登録実行部１０１は、以下の機能を有する。すなわち、再登録実行部１０１は、登録鍵データベース１１１に格納されているカードＩＤおよび暗証番号をすべて削除し、必要なカードＩＤおよび暗証番号を１つずつ登録鍵データベース１１１へ格納する再登録処理を実行する。
【０１１４】
実施形態１〜３では、再登録処理を促す通知のために、表示部２４に通知画面を表示させる例を説明したが、再登録処理を促す通知は、通知画面の表示に限定されない。例えば、情報処理装置２が音声出力部（不図示）を備え、通知部２０３が、該音声出力部から所定の音声を出力することにより、管理人に再登録処理を促す通知を行ってもよい。また、情報処理装置２がＬＥＤなどの発光部（不図示）を備え、通知部２０３が、該発光部を点灯または点滅させることにより、管理人に再登録処理を促す通知を行ってもよい。また、通知部２０３は、表示部２４による通知画面の表示、音声出力部による音声の出力、発光部の点灯または点滅などの各種通知方法のうち、複数を行う構成であってもよい。
【０１１５】
実施形態１〜４では、共用部屋を備えるマンション２００に電気錠制御システム１００を適用した例について説明したが、共用部屋を備えないマンションであっても、電気錠制御システム１００を適用可能である。この例の場合、コントローラ１の電気錠制御部１０２が、再登録処理中に、電気錠３Ｂを解錠不可状態とする機能は省略される。
【０１１６】
実施形態１〜４では、マンション２００の出入口に設けられたドアが、人感センサ４を有する自動ドア５である例を説明したが、自動ドア５が人感センサ４を有していることは必須ではない。また、マンション２００の出入口に設けられたドアは、自動ドアでなくてもよい。例えば、ドア３００のように、手動で開閉するドアであってもよい。また、実施形態１〜４では、ドア３００が手動で開閉するドアである例を説明したが、共用部屋に設けられたドアが自動ドアであってもよい。
【０１１７】
実施形態１〜４では、電気錠３Ｂ（換言すれば、共用部屋のドア）は、通常は施錠されている状態である例を説明したが、通常は解錠されており、再登録処理中に施錠される構成であってもよい。なお、再登録処理中に、登録鍵データベース１１１に格納されているカードＩＤを有するカード鍵、または、暗証番号を入力しても電気錠３Ｂが解錠されないのはこの変形例でも同様である。
【０１１８】
〔実施形態５〕
上記各実施形態では、１つのコントローラ１および１つの情報処理装置２（または情報処理装置２ａ）を用いる例を説明したが、コントローラ１及び情報処理装置２（または情報処理装置２ａ）は、複数であってもよい。例えば、電気錠３Ａを制御するコントローラ１と、電気錠３Ｂを制御するコントローラ１とが別であってもよい。また、コントローラ１に対して、各種命令を送信する情報処理装置と、コントローラ１から通知命令を受けて、管理人に再登録処理を促す情報処理装置とが別であってもよい。
【０１１９】
〔実施形態６〕
コントローラ１および情報処理装置２、２ａの各ブロックは、集積回路（ＩＣチップ）等に形成された論理回路（ハードウェア）によって実現してもよいし、ソフトウェアによって実現してもよい。後者の場合、コントローラ１および情報処理装置２、２ａのそれぞれを、図１２に示すようなコンピュータ（電子計算機）を用いて構成することができる。
【０１２０】
図１２は、コントローラ１および情報処理装置２、２ａとして利用可能なコンピュータ９１０の構成を例示したブロック図である。コンピュータ９１０は、バス９１１を介して互いに接続された演算装置９１２と、主記憶装置９１３と、補助記憶装置９１４と、入出力インターフェース９１５と、通信インターフェース９１６とを備えている。演算装置９１２、主記憶装置９１３、および補助記憶装置９１４は、それぞれ、例えばプロセッサ（例えばＣＰＵ：Central Processing Unit等）、ＲＡＭ（random access memory）、ハードディスクドライブであってもよい。入出力インターフェース９１５には、ユーザがコンピュータ９１０に各種情報を入力するための入力装置９２０、および、コンピュータ９１０がユーザに各種情報を出力するための出力装置９３０が接続される。入力装置９２０および出力装置９３０は、コンピュータ９１０に内蔵されたものであってもよいし、コンピュータ９１０に接続された（外付けされた）ものであってもよい。例えば、入力装置９２０は、キーボード、マウス、タッチセンサなどであってもよく、出力装置９３０は、ディスプレイ、プリンタ、スピーカなどであってもよい。また、タッチセンサとディスプレイとが一体化されたタッチパネルのような、入力装置９２０および出力装置９３０の双方の機能を有する装置を適用してもよい。そして、通信インターフェース９１６は、コンピュータ９１０が外部の装置と通信するためのインターフェースである。
【０１２１】
補助記憶装置９１４には、コンピュータ９１０をコントローラ１および情報処理装置２として動作させるための各種のプログラムが格納されている。そして、演算装置９１２は、補助記憶装置９１４に格納された上記プログラムを主記憶装置９１３上に展開して該プログラムに含まれる命令を実行することによって、コンピュータ９１０を、コントローラ１および情報処理装置２が備える各部として機能させる。なお、補助記憶装置９１４が備える、プログラム等の情報を記録する記録媒体は、コンピュータ読み取り可能な「一時的でない有形の媒体」であればよく、例えば、テープ、ディスク、カード、半導体メモリ、プログラマブル論理回路などであってもよい。また、記録媒体に記録されているプログラムを、主記憶装置９１３上に展開することなく実行可能なコンピュータであれば、主記憶装置９１３を省略してもよい。なお、上記各装置（演算装置９１２、主記憶装置９１３、補助記憶装置９１４、入出力インターフェース９１５、通信インターフェース９１６、入力装置９２０、および出力装置９３０）は、それぞれ１つであってもよいし、複数であってもよい。
【０１２２】
また、上記プログラムは、コンピュータ９１０の外部から取得してもよく、この場合、任意の伝送媒体（通信ネットワークや放送波等）を介して取得してもよい。そして、本発明は、上記プログラムが電子的な伝送によって具現化された、搬送波に埋め込まれたデータ信号の形態でも実現され得る。
【０１２３】
〔まとめ〕
本発明の態様１に係る情報処理装置（情報処理装置２、２ａ）は、記憶している鍵情報が、第１のドア（自動ドア５）に設けられた第１の電気錠（電気錠３Ａ）に入力されたとき、該第１の電気錠を解錠する電気錠制御装置（コントローラ１）と通信可能に接続された情報処理装置であって、上記第１のドアは、建物（マンション２００）の出入口に設けられ、少なくとも上記第１の電気錠が解錠されたときに開くものであり、上記電気錠制御装置に記憶されている上記鍵情報をすべて削除し、必要な鍵情報のみを再登録するための再登録処理の実行を、上記電気錠制御装置に指示する再登録指示部（再登録命令部２０１、２０１ａ）と、上記再登録指示部が上記再登録処理の実行を指示するとき、上記再登録処理中は上記第１の電気錠を常に解錠しておくよう、上記電気錠制御装置に指示する電気錠制御指示部（再登録命令部２０１、２０１ａ）と、を備える。
【０１２４】
上記の構成によれば、再登録処理は、登録された鍵情報をすべて削除し、必要な鍵情報のみを再登録するものであるため、再登録処理中に誰かが第１のドアを通過しようとしたときに、この人物が登録した鍵情報が、まだデータベースに格納されていないという状況が発生する。この場合、電気錠は解錠されず、この人物は第１のドアを通過することができず、建物内に入ることができない。
【０１２５】
そのため、上記の構成によれば、電気錠制御指示部は、再登録処理中は、第１の電気錠を常に解錠しておくよう、電気錠制御装置に指示する。これにより、再登録処理中は、第１の電気錠が常に解錠された状態となり、鍵情報の再登録中に建物内に入ることができないという状況を防ぐことができる。
【０１２６】
なお、再登録処理中は、建物内の各部屋には、鍵情報を登録していないユーザは入れないようにしておくことで、セキュリティを保つことが好ましい。例えば、建物がマンションである場合、マンション内にある共用の部屋（会議室や遊戯室など）のドアに設けられた電気錠は、上記の電気錠制御装置で制御されてもよいが、再登録処理中は常に施錠しておく。これにより、第１のドアから侵入した人物（泥棒など）が、共用の部屋に入ることを防ぐことができる。
【０１２７】
また例えば、マンションの専有部分のドアに設けられた電気錠は、上記の電気錠制御装置とは異なる装置によって制御される。これにより、再登録処理中に、第１のドアから侵入した人物が、専有部分に入ることを防ぐことができる。また、専有部分を利用する人（例えば、居住者）は、再登録処理中であったとしても、専有部分の出入りを通常どおり行うことができる。つまり、専有部分を利用する人が、専有部分から出られなくなったり、専有部分に入ることができなくなったりすることはない。
【０１２８】
また例えば、再登録処理は、建物の管理人がいる時間帯に行われる。これにより、泥棒などが第１のドアから侵入することを防ぐことができる。
【０１２９】
本発明の態様２に係る情報処理装置は、上記態様１において、上記建物は、上記建物の利用者が共用する部屋であって、上記電気錠制御装置が記憶している上記鍵情報が入力されたとき解錠される第２の電気錠（電気錠３Ｂ）が設けられた第２のドア（ドア３００）を有する１以上の部屋を有し、上記電気錠制御指示部は、上記再登録指示部が上記再登録処理の実行を指示するとき、上記再登録処理中は上記第２の電気錠を常に施錠しておくよう、上記電気錠制御装置にさらに指示してもよい。
【０１３０】
上記の構成によれば、再登録処理中は、第２の電気錠を常に施錠しておくよう、電気錠制御装置に指示する。これにより、施錠されている第２の電気錠に、電気錠制御装置が記憶している鍵情報が入力されたとしても、該第２の電気錠は解錠されない。これにより、建物の利用者（マンションの場合、居住者や民泊の利用者）が、建物内に入れないという状況を防ぎつつ、第１のドアから侵入した人物（泥棒など）が、建物の利用者が共用する部屋に入ることを防ぐことができる。よって、再登録処理中の建物のセキュリティを保つことができる。
【０１３１】
本発明の態様３に係る情報処理装置（情報処理装置２）は、上記態様１または２において、上記電気錠制御装置に記憶されている上記鍵情報に関する所定の条件が満たされた場合、上記再登録処理の実行を上記情報処理装置のユーザへ促す通知を行う通知部（通知部２０３）を備えてもよい。
【０１３２】
上記の構成によれば、電気錠制御装置に記憶されている鍵情報に関する所定の条件が満たされたとき、再登録処理の実行を、情報処理装置のユーザへ促す通知を行うので、適切なタイミングで再登録処理を実行することができる。なお、情報処理装置のユーザとは、例えば、建物の管理人である。
【０１３３】
本発明の態様４に係る情報処理装置は、上記態様３において、上記再登録処理の実行に適した、少なくとも１つの時間帯を特定する特定部（特定部２０２）をさらに備え、上記通知部は、上記再登録処理の実行を促す上記通知とともに、上記特定部が特定した上記時間帯の通知を、上記情報処理装置のユーザに対して行ってもよい。
【０１３４】
上記の構成によれば、再登録処理の実行を促す通知とともに、再登録処理の実行に適した時間帯の通知を行うので、情報処理装置のユーザ（例えば、建物の管理人）は、再登録処理を実行する時間帯を容易に決定することができる。
【０１３５】
本発明の態様５に係る情報処理装置（情報処理装置２ａ）は、上記態様１または２において、上記再登録指示部（再登録命令部２０１ａ）は、上記電気錠制御装置に記憶されている上記鍵情報に関する所定の条件が満たされた場合、上記再登録処理の実行を上記電気錠制御装置に指示してもよい。
【０１３６】
上記の構成によれば、電気錠制御装置に記憶されている鍵情報に関する所定の条件が満たされた場合、再登録処理の実行を指示するので、情報処理装置のユーザの手を煩わせることなく、電気錠制御装置に再登録処理を実行させることができる。よって、情報処理装置のユーザの負担を減らすことができる。
【０１３７】
本発明の態様６に係る情報処理装置は、上記態様５において、上記再登録処理の実行に適した時間帯を特定する特定部（特定部２０２）をさらに備え、上記再登録指示部は、上記特定部が特定した時間帯に、上記再登録処理の実行を上記電気錠制御装置に指示してもよい。
【０１３８】
上記の構成によれば、再登録処理の実行に適した時間帯に再登録処理を行うので、自動的に再登録処理を指示する場合であっても、建物の利用者にとって好ましくない時間帯における再登録処理の実行を避けることができる。
【０１３９】
本発明の態様７に係る情報処理装置は、上記態様４または６において、上記特定部は、所定の期間における上記第１のドアの開閉の履歴情報に基づいて、上記第１のドアが開閉した回数が少ない時間帯を、上記再登録処理の実行に適した時間帯として特定してもよい。
【０１４０】
上記の構成によれば、所定の期間における第１のドアの開閉の履歴情報に基づいて、第１のドアが開閉した回数が少ない時間帯を、再登録処理の実行に適した時間帯として特定するので、第１のドアを通過しようとする人が少ない時間帯に再登録処理を実行することができる。よって、電気錠の解錠操作を行うことなく第１のドアが通過する人の数を最小限にすることができる。
【０１４１】
なお、第１のドアが開閉した回数が少ない時間帯とは、例えば、第１のドアが開閉した回数の平均値、中央値、または、最頻値などが、所定の閾値以下である時間帯が挙げられる。
【０１４２】
本発明の態様８に係る情報処理装置は、上記態様４または６において、上記建物は、上記建物の利用者が共用する部屋であって、上記電気錠制御装置が記憶している上記鍵情報が入力されたとき解錠される第２の電気錠が設けられた第２のドアを有する１以上の部屋を有し、上記情報処理装置において、上記電気錠制御指示部は、上記再登録指示部が上記再登録処理の実行を指示するとき、上記再登録処理中は上記第２の電気錠を常に施錠しておくよう、上記電気錠制御装置にさらに指示し、上記特定部は、上記部屋が上記利用者によって使用される時間帯を含まない時間帯を、上記再登録処理の実行に適した時間帯として特定してもよい。
【０１４３】
上記の構成によれば、電気錠制御装置が、再登録処理中に、建物の利用者が共用する部屋のドアに設けられた電気錠に鍵情報が入力されたとしても、該電気錠を解錠しない構成である場合に、該部屋が利用者によって使用される時間帯を含まない時間帯を、再登録処理の実行に適した時間帯として特定する。これにより、上記部屋が使用されている時間帯には、再登録処理が行われないので、部屋を使用しようとした利用者が、部屋に入れないという状況を防ぐことができる。
【０１４４】
本発明の態様９に係る情報処理装置は、上記態様４または６において、上記特定部は、上記建物の管理人が、該建物に駐在している時間帯を含む時間帯を、上記再登録処理の実行に適した時間帯として通知してもよい。
【０１４５】
上記の構成によれば、管理人が駐在している時間帯を含む時間帯を、再登録処理の実行に適した時間帯として特定するので、管理人の負担を減らすことができる。
【０１４６】
本発明の態様１０に係る情報処理装置は、上記態様３から９のいずれかにおいて、上記所定の条件は、上記電気錠制御装置に記憶されている鍵情報の数が、所定の閾値を超えたことであってもよい。
【０１４７】
上記の構成によれば、電気錠制御装置が記憶している鍵情報の数が所定の閾値を超えたときに情報処理装置のユーザに通知を行ったり、電気錠制御装置に再登録処理の実行を指示したりするので、電気錠制御装置が記憶している鍵情報の数が多くなり、電気錠の解錠に時間がかかるという状況を防ぐことができる。また、記憶可能な鍵情報の数が有限である場合において、鍵情報を記憶することができなくなる前に、再登録処理を行って不要な鍵情報を削除することができる。
【０１４８】
本発明の態様１１に係る情報処理装置は、上記態様３から９のいずれかにおいて、上記所定の条件は、上記電気錠制御装置に記憶されている上記鍵情報のうちの不要な鍵情報の数が、所定の閾値を超えたことであってもよい。
【０１４９】
上記の構成によれば、不要な鍵情報の数が、所定の閾値を超えたときに情報処理装置のユーザに通知を行ったり、電気錠制御装置に再登録処理の実行を指示したりするので、電気錠制御装置が記憶している鍵情報の数が多くなり、電気錠の解錠に時間がかかるという状況を防ぐことができる。また、記憶可能な鍵情報の数が有限である場合において、鍵情報を記憶することができなくなる前に、再登録処理を行って不要な鍵情報を削除することができる。
【０１５０】
本発明の態様１２に係る電気錠制御システム（電気錠制御システム１００）は、第１の電気錠（電気錠３Ａ）と、上記第１の電気錠が設けられた第１のドア（自動ドア５）と、記憶している鍵情報が上記第１の電気錠に入力されたとき、該第１の電気錠を解錠する電気錠制御装置（コントローラ１）と、上記電気錠制御装置と通信可能に接続された情報処理装置（情報処理装置２）と、を含む電気錠制御システムであって、上記第１のドアは、建物（マンション２００）の出入口に設けられ、少なくとも上記第１の電気錠が解錠されたときに開くものであり、上記情報処理装置は、上記電気錠制御装置が記憶している上記鍵情報をすべて削除し、必要な鍵情報のみを再登録するための再登録処理の実行を、上記電気錠制御装置に指示し、上記再登録処理の実行を指示するとき、上記再登録処理中は上記第１の電気錠を常に解錠しておくよう、上記電気錠制御装置に指示する。
【０１５１】
上記の構成によれば、態様１に係る情報処理装置と同様の作用効果を奏する。
【０１５２】
本発明の各態様に係る情報処理装置は、コンピュータによって実現してもよく、この場合には、コンピュータを上記情報処理装置が備える各部（ソフトウェア要素）として動作させることにより上記情報処理装置をコンピュータにて実現させる情報処理装置の制御プログラム、並びに、それを記録したコンピュータ読み取り可能な記録媒体も、本発明の範疇に入る。
【０１５３】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【０１５４】
１  コントローラ（電気錠制御装置）
２  情報処理装置
２ａ  情報処理装置
３Ａ  電気錠（第１の電気錠）
３Ｂ  電気錠（第２の電気錠）
５  自動ドア（第１のドア）
１００  電気錠制御システム
２００  マンション
２０１  再登録命令部（再登録指示部、電気錠制御指示部）
２０１ａ  再登録命令部（再登録指示部、電気錠制御指示部）
２０２  特定部
２０３  通知部
２１２  共用部屋予約情報（使用時間帯）
３００  ドア（第２のドア）
【図１】
2019085737.tif 000003
【図２】
2019085737.tif 000004
【図３】
2019085737.tif 000005
【図４】
2019085737.tif 000006
【図５】
2019085737.tif 000007
【図６】
2019085737.tif 000008
【図７】
2019085737.tif 000009
【図８】
2019085737.tif 000010
【図９】
2019085737.tif 000011
【図１０】
2019085737.tif 000012
【図１１】
2019085737.tif 000013
【図１２】
2019085737.tif 000014